(57)【要約】【課題】ディジタルビデオインタフェースの出力を利用して、複数の高精細画像をモニタディスプレイに映し出す。【解決手段】コンピュータ１２のディジタルビデオインタフェース１４に接続される第１の接続端子１６と、コンピュータ１２の操作用モニタディスプレイ１８に接続される第２の接続端子２０と、第１の接続端子１６と第２の接続端子２０との間を接続する双方向ディジタル伝送路２２と、双方向ディジタル伝送路２２に含まれ、コンピュータから画像データを操作用モニタディスプレイ方向に伝送する伝送路を、当該伝送路を残したまま複数の新たな単方向の画像データ伝送路に分配する分配回路３０と、複数の新たな画像データ伝送路の出力をそれぞれ光信号に変換する電気／光信号変換器３４と電気／光信号変換器３４の光信号３２の出力側にそれぞれ接続された光コネクタ３６とを備える。【選択図】図１
2009032146.tif 000002
【特許請求の範囲】
【請求項１】
コンピュータのディジタルビデオインタフェースに接続される第１の接続端子と、
コンピュータの操作用モニタディスプレイに接続される第２の接続端子と、
前記第１の接続端子と第２の接続端子との間を接続する双方向ディジタル伝送路と、
前記双方向ディジタル伝送路に含まれ、前記コンピュータから画像データを前記操作用モニタディスプレイ方向に伝送する伝送路を、当該伝送路を残したまま複数の新たな単方向の画像データ伝送路に分配する分配回路と、
前記複数の新たな画像データ伝送路の出力をそれぞれ光信号に変換する電気／光信号変換器と、
前記電気／光信号変換器の光信号出力側にそれぞれ接続された光コネクタとを備えたことを特徴とするマルチモニタ分配装置。
【請求項２】
請求項１に記載のマルチモニタ分配装置において、
遠隔モニタディスプレイは、操作用モニタディスプレイと同等以上の画像表示機能を有することを特徴とするマルチモニタ分配装置。
【請求項３】
コンピュータのディジタルビデオインタフェースに接続される第１の接続端子と、
コンピュータの操作用モニタディスプレイに接続される第２の接続端子と、
前記第１の接続端子と第２の接続端子との間を接続する双方向ディジタル伝送路と、
前記双方向ディジタル伝送路に含まれ、前記コンピュータから画像データを前記操作用モニタディスプレイ方向に伝送する伝送路を、当該伝送路を残したまま複数の新たな単方向の画像データ伝送路に分配する分配回路と、
前記複数の新たな画像データ伝送路の出力をそれぞれ光信号に変換する電気／光信号変換器と、
前記電気／光信号変換器の光信号出力側にそれぞれ接続された光コネクタと、
前記光コネクタに一端を接続した光ケーブルと、
この光ケーブルの他端に接続された遠隔モニタディスプレイとを備えたことを特徴とするマルチモニタ分配装置。
【請求項４】
請求項３に記載のマルチモニタ分配装置において、
前記第２のコネクタに、ディジタルビデオインタフェースケーブルを介して、別のマルチメディアモニタ分配回路の第１の接続端子が接続され、
前記別のマルチメディアモニタ分配回路の光コネクタに一端を接続した光ケーブルと、
この光ケーブルの他端に接続された遠隔モニタディスプレイとを備えたマルチモニタ分配システムことを特徴とするマルチモニタ分配装置。
【発明の詳細な説明】
【技術分野】
【０００１】
本発明は、ディジタルビデオインタフェースに複数のモニタディスプレイを接続するために使用されるマルチモニタ分配装置に関する。
【背景技術】
【０００２】
例えば、教室や会議場等で、複数のモニタディスプレイに同じ画像を表示することが行なわれている。このために、パーソナルコンピュータのビデオインタフェースに接続する分配器が開発されている（特許文献１参照）。
【特許文献１】特開２００２−１１２２１７号公報
【発明の開示】
【発明が解決しようとする課題】
【０００３】
既知の従来の技術には、次のような解決すべき課題があった。
会議等の用途に、高解像度のディジタルビデオディスプレイを使用するという要求がある。また、比較的長いスパンで、高品質の画像データを伝送するという要求もある。コンピュータはディジタルビデオディスプレイを制御するとき、起動時に表示画像解像度情報等を取得する。そして、そのディスプレイ固有の最適表示条件を設定して表示制御をする。こうした制御をするので、通常、パーソナルコンピュータは、１個のディジタルビデオインタフェースを備え、１台のディジタルビデオディスプレイしか制御することができない。もし、容易にディジタルビデオインタフェースを増設できれば、、高精細画像を会議場の複数のモニタディスプレイに映し出すことができる。
上記の課題を解決するために、本発明は次のようなマルチモニタ分配装置を提供することを目的とする。
【課題を解決するための手段】
【０００４】
以下の構成はそれぞれ上記の課題を解決するための手段である。
〈構成１〉
コンピュータのディジタルビデオインタフェースに接続される第１の接続端子と、コンピュータの操作用モニタディスプレイに接続される第２の接続端子と、上記第１の接続端子と第２の接続端子との間を接続する双方向ディジタル伝送路と、前記双方向ディジタル伝送路に含まれ、前記コンピュータから画像データを前記操作用モニタディスプレイ方向に伝送する伝送路を、当該伝送路を残したまま複数の新たな単方向の画像データ伝送路に分配する分配回路と、
前記複数の新たな画像データ伝送路の出力をそれぞれ光信号に変換する電気／光信号変換器と、上記電気／光信号変換器の光信号出力側にそれぞれ接続された光コネクタとを備えたことを特徴とするマルチモニタ分配装置。
【０００５】
操作用モニタディスプレイに伝送する画像データを新たな単方向の画像データ伝送路に分配して、複数の遠隔モニタディスプレイに表示することができる。
【０００６】
〈構成２〉
構成１に記載のマルチモニタ分配装置において、遠隔モニタディスプレイは、操作用モニタディスプレイと同等以上の画像表示機能を有することを特徴とするマルチモニタ分配装置。
【０００７】
遠隔モニタディスプレイが操作用モニタディスプレイと同等のものであれは、操作用モニタディスプレイ用に選定された画像データをそのまま最適の状態で表示できる。
【０００８】
〈構成３〉
コンピュータのディジタルビデオインタフェースに接続される第１の接続端子と、コンピュータの操作用モニタディスプレイに接続される第２の接続端子と、前記双方向ディジタル伝送路に含まれ、前記コンピュータから画像データを前記操作用モニタディスプレイ方向に伝送する伝送路を、当該伝送路を残したまま複数の新たな単方向の画像データ伝送路に分配する分配回路と、
前記複数の新たな画像データ伝送路の出力をそれぞれ光信号に変換する電気／光信号変換器と、上記電気／光信号変換器の光信号出力側にそれぞれ接続された光コネクタと、上記光コネクタに一端を接続した光ケーブルと、この光ケーブルの他端に接続された遠隔モニタディスプレイとを備えたことを特徴とするマルチモニタ分配装置。
【０００９】
光コネクタには自由な長さの光ケーブルを介して遠隔モニタディスプレイを接続する。これにより、コンピュータから離れた遠隔モニタディスプレイに、操作用モニタディスプレイと同様の画像が表示できる。
【００１０】
〈構成４〉
構成３に記載のマルチモニタ分配装置において、上記第２のコネクタに、ディジタルビデオインタフェースケーブルを介して、別のマルチモニタ分配回路の第１の接続端子が接続され、上記別のマルチモニタ分配回路の光コネクタに一端を接続した光ケーブルと、この光ケーブルの他端に接続された遠隔モニタディスプレイとを備えたマルチモニタ分配システムことを特徴とするマルチモニタ分配装置。
【００１１】
同一構造のマルチモニタ分配回路をカスケード接続して、任意の数の遠隔モニタディスプレイを増設できる。
【発明を実施するための最良の形態】
【００１２】
以下、本発明の実施の形態を実施例毎に詳細に説明する。
【実施例１】
【００１３】
図１は実施例１のマルチモニタ分配装置を示すブロック図である。
図１の（ａ）に示すように、マルチモニタ分配装置１０は、コンピュータ１２のディジタルビデオインタフェース１４に接続して使用される。ディジタルビデオインタフェース１４には、第１の接続端子１６が接続される。操作用モニタディスプレイ１８には、第２の接続端子２０が接続される。第１の接続端子１６と第２の接続端子２０とは双方向ディジタル伝送路２２により接続される。
【００１４】
双方向ディジタル伝送路２２には、操作用モニタディスプレイ１８から解像度制御のための信号をコンピュータ１２に伝送する伝送路と、コンピュータ１２から画像データを操作用モニタディスプレイ１８に伝送する伝送路とが含まれている。分配回路３０は、コンピュータ１２から画像データを操作用モニタディスプレイ１８方向に伝送する伝送路を、当該伝送路を残したまま複数の新たな単方向の画像データ伝送路に分配する。電気／光信号変換器３４は、分配回路３０から出力された複数の新たな画像データ伝送路の出力をそれぞれ光信号３２に変換する。各光信号３２は、光コネクタ３６を通じて外部に取り出される。
【００１５】
図１の（ｂ）に示すように、光コネクタ３６には、それぞれ光ケーブル３８を介して遠隔モニタディスプレイ４０が接続されている。光ケーブル３８の出力は光／電気信号変換器４２により電気信号に変換されて遠隔モニタディスプレイ４０に入力する。光コネクタ３６には自由な長さの光ケーブル３８を介して遠隔モニタディスプレイ４０を接続することができる。従って、コンピュータ１２から離れた遠隔モニタディスプレイ４０に、操作用モニタディスプレイ１８と同様の高精細画像が表示できる。
【００１６】
なお、マルチモニタ分配装置１０において、第２の接続端子２０は１個設けられている。第１の接続端子１６と第２の接続端子２０との間を双方向のディジタル伝送路２２で接続してあるから、コンピュータは、操作用モニタディスプレイ１８から表示画像解像度情報等を取得して、操作用モニタディスプレイ１８に最適な解像度の画像データを出力する。この表示画像データを、そのまま複数の遠隔モニタディスプレイ４０に分配して表示する。このことから、遠隔モニタディスプレイ４０は、操作用モニタディスプレイ１８と同等以上の画像表示機能を有することが好ましい。遠隔モニタディスプレイ４０が操作用モニタディスプレイ１８と同等のものであれは、操作用モニタディスプレイ１８用に選定された画像データをそのまま最適の状態で表示できる。
【実施例２】
【００１７】
図２はマルチモニタ分配装置の斜視図である。また、図３はこれを複数台使用したシステムの構成説明図である。
両図において、コンピュータ１２のディジタルビデオインタフェース１４（図１）は、マルチモニタ分配装置１０Ａの第１の接続端子１６に接続されている。マルチモニタ分配装置１０Ａの第２の接続端子２０（図１）は、ディジタルビデオインタフェースケーブル４６を介してマルチモニタ分配装置１０Ｂの第１の接続端子１６に接続されている。マルチモニタ分配装置１０Ｂの第２の接続端子２０は、操作用モニタディスプレイ１８に接続されている。マルチモニタ分配装置１０Ａとマルチモニタ分配装置１０Ｂの光コネクタ３６には、それぞれ所定台数の遠隔モニタディスプレイ４０Ａ〜Ｅが接続されている。本発明によれば、同一構造のマルチメディアモニタ分配回路をカスケード接続して、任意の数の遠隔モニタディスプレイを増設することもできる。
【図面の簡単な説明】
【００１８】
【図１】実施例１のマルチモニタ分配装置を示すブロック図である。
【図２】マルチモニタ分配装置の斜視図である。
【図３】マルチモニタ分配装置を複数台使用したシステムの構成説明図である。
【符号の説明】
【００１９】
１０  マルチモニタ分配装置
１２  コンピュータ
１４  ディジタルビデオインタフェース
１６  第１の接続端子
１８  操作用モニタディスプレイ
２０  第２の接続端子
２２  双方向ディジタル伝送路
３０  分配回路
３２  光信号
３４  電気／光信号変換器
３６  光コネクタ
３８  光ケーブル
４０  遠隔モニタディスプレイ
４２  光／電気信号変換器
【図１】
2009032146.tif 000003
【図２】
2009032146.tif 000004
【図３】
2009032146.tif 000005